(57)【特許請求の範囲】
【請求項１】
次の１〜６の構成を備えることを特徴とする紙類細断自動車。
１．運転席後部に天井及び周囲が囲まれた収容空間を備え且つ収容空間の後方に開閉可能な開口部を備えた自動車の前記収容空間内に紙類細断装置が搭載され、
２．紙類細断装置は紙類を投入可能な投入口と、投入口から投入された紙類を搬送する紙類搬送体と、紙類搬送体で搬送された紙類を細断する細断刃物と、細断された処理物を搬送する処理物搬送体と、処理物搬送体によって搬送された処理物を排出する排出口を備え、
３．前記紙類搬送体と処理物搬送体は紙類搬送体を上、処理物搬送体を下にして上下に配置され、
４．前記投入口及び排出口は共に前記収容空間の開口部に向けて配置され、
５．前記細断刃物は前記収容空間内の運転席側に設けられ、
６．前記紙類細断装置が筺体でカバーされた。
【請求項２】
請求項１記載の紙類細断自動車において次の１〜３の構成を備えることを特徴とする紙類細断自動車。
１．紙類細断装置が収容空間内で運転席側と開口部側に往復スライド可能であり、
２．前方へのスライド時には紙類細断装置の投入口及び排出口側が前記収容空間の開口部側に引き出され、
３．後方へのスライド時には紙類細断装置が収容空間内に押し込まれて収容される。
【請求項３】
請求項１又は請求項２記載の紙類細断自動車において次の１、２の構成を備えることを特徴とする紙類細断自動車。
１．筺体は、紙類搬送体、細断刃物をカバーするケースと、処理物搬送体をカバーするダクトを備え、
２．前記ケースの下面で細断刃物の下方には細断された処理物が落下する開口部が開口され、前記ダクトの上面で細断刃物の下方には前記開口部と連通する落下口が開口された。
【請求項４】
請求項１乃至請求項３のいずれかに記載の紙類細断自動車において、自動車の運転席と紙類細断装置の間に紙類細断装置の駆動源を備えたことを特徴とする紙類細断自動車。
【発明の詳細な説明】
【技術分野】
【０００１】
本発明は紙類、特に、保存期間の切れた経理書類や機密文書等で不用となった各種書類（以下「紙類」と記す。）を廃棄処分する際に細断するのに適するシュレッダー（紙類細断装置）を搭載した紙類細断自動車に関するものである。
【背景技術】
【０００２】
従来、オフィス等において発生する前記のような紙類は、オフィス内に設置された小型の紙類細断装置によって細かく（例えば、数mm×数cm）細断されて廃棄されていた。小型の紙類細断装置はある程度普及が進んでいるが、オフィスによっては不用紙類の発生量は増大化しており、オフィス内の小型の紙類細断装置では細断しきれないことがある。そのため紙類細断依頼を受けたお客様（ユーザー）を訪問してその場で紙類を細断、廃棄できるようにした紙類細断装置を搭載したトラックが開発されている。
【０００３】
前記紙類細断装置を搭載したトラックは特許文献１〜特許文献４に示すように、トラック等の大型車の荷台に紙類細断装置を搭載したものであって、作業者等がシュレッダー装置搭載トラックの荷台の上の収容スペース内に紙類を運びこみ、そのスペース内で紙類細断装置の投入口に紙類を投入して紙類を細断できるようにしたものである。また、細断された紙類（処理物）は荷台の上で回収できるようにしてある。
【０００４】
【特許文献１】特許第３１９５５６３号公報
【特許文献２】特許第３１８８８８０号公報
【特許文献３】特開２００３−３３４４６６号公報
【特許文献４】特開２００５−２５４１１７号公報
【発明の開示】
【発明が解決しようとする課題】
【０００５】
従来の紙類細断トラックは以下のような課題があった。
（１）細断依頼した紙類が荷台の収容スペース内に持ち込まれ、細断済みの処理物も収容スペース内で袋等に封入されるため、ユーザーは依頼した紙類が確実に細断処理されたかどうかを確認することができず、機密漏洩や文書持ち出し等の不安が残る。
（２）荷台に処理物を収容する収容スペースが設けられているため、車両が大型化し、小回りがきかないため細い路地に進入することができず、ユーザーの建物（会社のビルや工場等）に近づくことができない。このため、ユーザーから廃棄処分の依頼を受けた紙類をユーザーの建物からトラックまで運搬しなればならず、運搬が面倒である。また、その間に紙類が紛失する虞があり機密保持が必ずしも万全であるとは限らない。
（３）細断する紙類を荷台上の紙類細断装置まで運ばなければならず、作業者の労力が重くなる。又、作業効率も悪い。
【課題を解決するための手段】
【０００６】
本発明は、作業者が自動車の荷台に上がることなく、また、細断する紙類を自動車の荷台に持ち上げることなく、路上に居たままで、ユーザーの目の前で細断作業することができ、紙類を紙類細断装置の投入口に投入するだけで確実に細断され、細断された紙類を排出口側で回収することができ、一人の作業者で投入―細断―回収作業を連続的に行うことができる紙類細断自動車である。
【０００７】
本願発明の紙類細断自動車は請求項１記載のように次の１〜６の構成を備えるものである。
１．運転席後部に天井及び周囲が囲まれた収容空間を備え且つ収容空間の後方に開閉可能な開口部を備えた自動車の前記収容空間内に紙類細断装置が搭載され、
２．紙類細断装置は紙類を投入可能な投入口と、投入口から投入された紙類を搬送する紙類搬送体と、紙類搬送体で搬送された紙類を細断する細断刃物と、細断された処理物を搬送する処理物搬送体と、処理物搬送体によって搬送された処理物を排出する排出口を備え、
３．前記紙類搬送体と処理物搬送体は紙類搬送体を上、処理物搬送体を下にして上下に配置され、
４．前記投入口及び排出口は共に前記収容空間の開口部に向けて配置され、
５．前記細断刃物は前記収容空間内の運転席側に設けられ、
６．前記紙類細断装置が筺体でカバーされた。
【０００８】
本願発明の紙類細断自動車は請求項２記載のように次の１〜３の構成を備えるものである。
１．紙類細断装置が収容空間内で運転席側と開口部側に往復スライド可能であり、
２．前方へのスライド時には紙類細断装置の投入口及び排出口側が前記収容空間の開口部側に引き出され、
３．後方へのスライド時には紙類細断装置が収容空間内に押し込まれて収容される。
【０００９】
本願発明の紙類細断自動車は請求項３記載のように、請求項１又は請求項２記載の紙類細断自動車において次の１、２の構成を備えるものである。
１．筺体は、紙類搬送体、細断刃物をカバーするケースと、処理物搬送体をカバーするダクトを備え、
２．前記ケースの下面で細断刃物の下方には細断された処理物が落下する開口部が開口され、前記ダクトの上面で細断刃物の下方には前記開口部と連通する落下口が開口された。
【００１０】
本願発明の紙類細断自動車は請求項４記載のように、請求項１乃至請求項３のいずれかに記載の紙類細断自動車において、自動車の運転席と紙類細断装置の間に紙類細断装置の駆動源を備えたものである。
【発明の効果】
【００１１】
本件出願の請求項１記載の紙類細断自動車は次のような効果がある。
１．紙類細断装置が搭載された収容空間の天井及び周囲が囲まれているため、自動車を屋外に停車させて収容空間内で細断作業しても、機密文書が風で煽られて飛散し、逸失することが無く安全である。
２．紙類細断装置の投入口と排出口が共に収容空間後方の開口部に向けて配置されているので、作業者が路上に居たままで投入口に紙類を投入し、細断された処理物を排出口から回収することができるため、作業しやすく、作業者が一人でも作業できる。その間、ユーザーは一連の作業を作業者と共に路上で確認することができるため、紙類飛散、逸失等に対するユーザーの不安や危惧が解消され、安心である。
３．紙類搬送体と処理物搬送体が上下に配置されているため紙類細断装置を小型化でき、狭い収容空間内にも設置できる。
４．投入口が排出口の上に配置されているので、投入口に紙類を投入し易く、処理物が細断中に連続的に排出口に排出されるので、処理物排出処理のために一々細断作業を停止させる必要がなく、細断を連続的に効率良く行なうことができる。又、排出口に排出される処理物を回収袋内に自動的に回収すれば回収作業も容易になり、自動車の収容空間内に処理物が充満することもない。
５．紙類搬送体、細断刃物、処理物搬送体が筺体でカバーされているため、紙類細断装置の投入口に投入される紙類も、細断されて排出口に排出される処理物も搬送中に筺体の外に飛散して周囲に散乱することもない。
【００１２】
本願発明の請求項２記載の紙類細断自動車は上記各効果に加えて次のような効果もある。
１．紙類細断装置が収容空間内で運転席側と開口部側に往復スライド可能であり、後方へのスライド時には紙類細断装置の投入口及び排出口側を収容空間の開口部側に引き出すことができるため、作業者が路上に居たまま車外から投入口へ紙類を投入し、排出口から排出される処理物の回収を行なうことができるため、作業し易く、作業者が荷台に上り下りする必要がないため作業者の労力が軽減され、作業効率もより向上する。
２．紙類細断装置は後方へのスライド時には収容空間内に押し込まれるため、紙類細断装置不使用時や移動時には紙類細断装置を収容空間内に収容して開口部を閉じることができ、紙類細断装置が邪魔になることがなく、通常の自動車と同様に走行することができる。
【００１３】
本願発明の請求項３記載の紙類細断自動車は処理物搬送体の外周がダクトでカバーされており、細断刃物の下のダクト上面に処理物落下口が開口されているため上記各効果に加えて次のような効果もある。
１．ケースの開口部とダクトの落下口が連通するため、処理物が確実にダクト内の処理物搬送体に落下して搬送され、処理物搬送体で搬送中の処理物がダクトの外に飛散することがなく、処理物が排出口まで確実に搬送され、依頼者の安心が確保される。
２．ケースによって紙類搬送体及び細断刃物を、ダクトによって処理物搬送体を別個にカバーするので、紙類搬送体及び細断刃物と処理物搬送体とを、別々にメンテナンスすることができ、メンテナンス効率も良い。
【００１４】
本願発明の請求項４記載の紙類細断自動車は、自動車の運転席と紙類細断装置の間のスペースに紙類細断装置の駆動源を備えたので上記各効果に加えて次のような効果もある。
１．紙類細断装置もその駆動源も自動車の荷台に収まりコンパクトになり、小型の自動車にも搭載可能となり、自動車を細い路地に進入させてユーザーの建物の側に停車させることもできる。この場合は、ユーザーの建物から離れた場所に停車させた自動車まで紙類を運搬する必要がなく、運搬中の紙類の紛失や逸失がなくなり機密文書漏洩の心配もない。
【発明を実施するための最良の形態】
【００１５】
（実施形態１）
本発明の紙類細断自動車の実施形態の一例を図１〜図８に基づいて説明する。図１、図２に示す紙類細断自動車は運転席１の後方に天井と周壁で囲まれた収容空間２があり、収容空間２の後方に開口部３があり、その開口部３が扉４で開閉可能な自動車５、例えば、ミニバン、ライトバン、ワゴン等（通称：ワンボックスカー）を利用した例であり、収容空間２内に紙類細断装置６を搭載し、運転席１と収容空間２の間に前記紙類細断装置６の駆動源７を搭載してある。駆動源７にはエンジンとかモータ等を使用することができる。駆動源７は、自動車５側部のドア５１を開けて、外部から操作できるようにしてある。
【００１６】
前記紙類細断装置６は図４に示すように細断する紙類１０を投入可能な投入口１１と、投入口１１から投入された紙類１０を搬送する紙類搬送体１２と、紙類搬送体１２によって搬送された紙類１０を細断する細断刃物１３と、細断された紙類（以下「処理物」という。）１４を搬送する処理物搬送体１５と、処理物搬送体１５によって搬送された処理物１４を排出する排出口１６を備えている。
【００１７】
図３、図４に示すように前記紙類搬送体１２は前後二本の回転軸２３に無端ベルト２４を掛けたベルトコンベア、処理物搬送体１５も前後二本の回転軸２８に無端ベルト２９を掛けたベルトコンベアであり、紙類搬送体１２を水平に配置し、その下に処理物搬送体１５を平行に配置してある。紙類搬送体１２の無端ベルト２４には紙類１０がスリップすることなく細断刃物１３へ搬送されるように表面の摩擦力の高いものを用いることが望ましい。また、処理物搬送体１５の無端ベルト２９には、ベルト上の処理物１４を残らず排出できるように、表面の摩擦力の低いもの、例えばゴム材等の樹脂材を用いることが望ましい。紙類搬送体１２も処理物搬送体１５も正逆回転できるようにしてあり、紙類１０や細断された処理物１４が詰まったときに逆回転させて紙類１０や処理物１４を逆戻しして詰まりを解消できるようにしてある。
【００１８】
前記細断刃物１３には既存のシュレッダーの細断刃物１３と同様のものを使用することも、それとは違うものを使用することもできる。いずれにしても細断される処理物の形状は長方形、三角形、台形等々の任意形状に細断することができ、細断後の紙片のサイズは細断前の紙類に記載されている内容を読み取れない（理解できない）程度（例えば、既存のシュレッダーと同様に数ｍｍ×数ｃｍ）に小さく細断することができるものであることが必要である。
【００１９】
図３〜図５に示す細断刃物１３は回転軸２５の外周軸方向に多数枚の円盤状の刃２６が一定間隔で形成された２本の回転刃物２７を上下に配置して両者の刃２６が噛み合うようにしてあり、双方又は一方の回転刃物２７をモータＭにより図３の矢印方向（共に内側）に回転させると両回転刃物２７の間に送り込まれた紙類１０が両回転刃物２７の間に挟まれて自動的に細断されるようにしてある。
【００２０】
前記細断刃物１３は紙類搬送体１２の搬送方向先方に配置されて、紙類搬送体１２で搬送されてくる紙類１０が自動的に細断刃物１３に送り込まれて切断されるようにしてある。紙類搬送体１２は図４に示すようにケース１７により上方及び四周がカバーされ、そのケース１７に前記細断刃物１３の回転軸２５が回転自在に取り付けられている。ケース１７内には、前記モータＭも備えられている。ケース１７の前方部には投入口１１が開口されており、その投入口１１から紙類１０を投入すると紙類１０が紙類搬送体１２の上に載せられて、紙類搬送体１２により自動的に細断刃物１３側に搬送されるようにしてある。ケース１７はアルミ製、ステンレス製、樹脂製といった所望材質製の筺体であり、下方には、細断刃物１３で細断した処理物１４をダクト１８内へと落下させるための開口部３０が開口されている。ケース１７の内壁は紙類や処理物や紙粉等が付着しないように剥離性の良い材質、例えば、テフロン（登録商標）で表面処理してある。
【００２１】
前記ケース１７の投入口１１の周囲は、図６、図７に示すように、平らなテーブル状の作業台部３１とされ、細断する紙類１０を置いたりすることができるようにしてある。また、ケース１７内には、図３に示すように、紙類搬送体１２の上方には、紙類搬送体１２上を搬送される紙類１０が多数枚積み重なっている場合、それを平らに均すための均し板３２が備えられている。更に、紙類搬送体１２の下方には、紙類搬送体１２や細断刃物１３に付着した細断後の処理物１４を掻き落とすスキージ３３が備えられている。前記均し板３２及びスキージ３３も、紙類や処理物や紙粉等が付着しないように剥離性の良い材質、例えば、テフロン（登録商標）で表面処理してある。また、ケース１７の開口部側には、図６、図７に示すように、紙類細断装置６を前後スライドさせる際に把持するためのハンドル３５、及び、紙類搬送体１２及び細断刃物１３を操作するための操作盤３６が備えられている。前記作業台部３１の下側には、処理物搬送体１５を操作するための操作盤３７が備えられている。
【００２２】
前記処理物搬送体１５は図５に示すようにダクト１８内に収容されている。ダクト１８の上面には処理物落下口３８が開口され、この処理物落下口３８の上面外周縁に長方形のリング状の受け材３９が配置固定され、この受け材３９の上に紙類搬送体１２及び細断刃物１３がケース１７ごと設置固定して図４に示すように細断刃物１３で細断された処理物１４が処理物落下口３８からダクト１８内の処理物搬送体１５上に落下するようにしてある。受け材３９を弾性材とすることによりケース１７の底面が受け材３９と密接して受け材３９とケース１７の底面との間に隙間ができないようにして、細断刃物１３で細断されてダクト１８内の処理物搬送体１５上に落下する処理物１４が受け材３９とケース１７の底面との間から外に出ないようにしてある。
【００２３】
図５、図８に示すように、ダクト１８の内側にはダクト１８の側壁４０と処理物搬送体１５の隙間を閉塞する板状のフィン４１が外側から内側に下り傾斜に取付けられて、フィン４１上に落下した処理物１４が処理物搬送体１５上へ滑り落ちてダクト１８の側壁４０と処理物搬送体１５の隙間に処理物１４が入り込まないようにしてある。更に、ダクト１８の手前側には排出口１６が形成されており、処理物搬送体１５で搬送されてくる処理物１４がその排出口１６から自動的に送り出されるようにしてある。前記ケース１７の投入口１１及びダクト１８の排出口１６は共に収容空間２の開口部３に向けて配置され、投入口１１を上、排出口１６を下にして上下に配置されている。
【００２４】
ダクト１８もアルミ製、ステンレス製、樹脂製といった所望材質製であり、その内壁は紙類、処理物、紙粉等が付着しないように剥離製の良い材質、例えば、テフロン（登録商標）で表面処理してある。前記フィン４１は、図８に示すように、上部をアルミ材４１ａ、下部を樹脂材４１ｂとして、樹脂材４１ｂ部分が処理物搬送体１５と接触しても磨耗しにくくなるようにしてある。図８に示すように、アルミ材４１ａの下端の裏側に樹脂材４１ｂをビス等によって固定している。樹脂材４１ｂは、処理物搬送体１５の無端ベルト２９と同じ素材の樹脂製、例えばゴム材等とすることが、磨耗を減らす上では望ましい。また、アルミ材４１ａ部も剥離性の良い材質、例えば、テフロン（登録商標）で表面処理して紙類、処理物、紙粉等が付着しないようにすることができる。
【００２５】
前記排出口１６の外側にはフード４２が取り付けられている。フード４２には横向きの入口４３と下向きの出口４４があり、蝶ねじとか他の係止金具４５でダクト１８の排出口１６の外側に回動自在に取り付けられて係止金具４５を回転軸にして上下に首振りできるようにしてあり、係止金具４５を緩めると自重で下向きになり、手で図６のように持ち上げることができ、係止金具４５を大幅に緩めるとダクト１８から取り外すこともできるようにしてある。フード４２を手で持ち上げるとその下に回収容器５０をセットし易くなり、セット後に手を放すと自重で下向きになって図１のように回収容器５０の縁に支持されて出口が回収容器５０の内側に自動的に納まり、ダクトの排出口１６から排出される処理物１４がフード４２の出口４４から出て出口４４の下にセットしてある回収容器（袋をも含む）５０に落下する。フード４２の上面に窓４６を設けて外部から中の様子、即ち、処理物１４が排出口１６から排出される様子を外部から視認できるようにしてあり、しかも窓４６を斜め下向きにして図７のように外部から中の様子を見易くしてある。フード４２の内面も剥離性の良い材質、例えば、テフロン（登録商標）で表面処理して紙類、処理物、紙粉等が付着しないようにすることができる。
【００２６】
前記のように紙類搬送体１２及び細断刃物１３をケース１７ごとダクト１８の上に設置固定した紙類細断装置６は、自動車５の収容空間２内を前後方向に移動できるようにしてある。そのために、自動車５の収容空間２内の床の上の幅方向両端寄り位置に２本のレール２１を平行にして収容空間２の前後方向に敷設し、そのレール２１の上に走行ロール２２を備えた走行台車２０をセットし、その走行台車２０に紙類細断装置６を設置固定し、走行台車２０をレール２１に沿って移動させると紙類細断装置６が走行台車２０と共に自動車５の収容空間２の前後方向に移動できるようにしてある。収容空間２の後方への移動時には前記投入口１１及び排出口１６が収容空間２の開口部３から車外に多少突出し、収容空間２の前方への移動時には投入口１１及び排出口１６が収容空間２内に収容されて紙類細断装置６全体が収容空間２内に収容され、自動車５の後の扉４を閉めることができるようになる。
【００２７】
（使用例）
図１〜図８に示す紙類細断自動車を用いて、紙類を細断するには次のようにする。
（１）自動車５後部の扉４を開き、ハンドル３５を把持して紙類細断装置６を引き出して、投入口１１及び排出口１６を車外に突出させて固定する。また、自動車５側部のドア５１を開き、駆動源７を作動させて紙類細断装置６を作動可能とする（図１参照。）。
（２）紙類細断装置６の操作盤３６及び操作盤３７を操作して紙類搬送体１２、細断刃物１３、処理物搬送体１５を夫々作動させる。また、フード４２の出口４４側に回収容器５０を備え付ける（図１参照。）。
（３）投入口１１に細断する紙類１０を投入する。
（４）投入口１１から投入された紙類１０は、紙類搬送体１２上に載せられ、紙類搬送体１２によって細断刃物１３側へと搬送される（図４参照。）。その際、多数枚積み重なった紙類１０は、均し板３２によって平らに均されて細断刃物１３へと搬送される。
（５）紙類搬送体１２によって搬送された紙類１０は、上下二本の細断刃物１３間に送り込まれ、両細断刃物１３によって挟まれて数ｍｍ×数ｃｍの紙片（処理物１４）へと細断される（図４参照。）。
（６）細断後の処理物１４は、そのままケース１７の開口部３０及びダクト１８の処理物落下口３８を通過して処理物搬送体１５上に落下する。また、細断刃物１３や紙類搬送体１２に残った処理物１４も、スキージ３３によって処理物搬送体１５上へと掻き落とされる（図４参照。）。
（７）処理物搬送体１５上に落下した処理物１４は、処理物搬送体１５によって排出口１６方向へと搬送される（図４参照。）。このとき、フィン４１上に落下した処理物１４も、フィン４１の傾斜によって処理物搬送体１５上に滑り落とされ、処理物搬送体１５によって搬送される。
（８）処理物搬送体１５によって搬送された処理物１４は、排出口１６より収容容器５０内へと排出され、フード４２の出口４４を通過して収容容器５０内に蓄積される（図４、図８参照。）。
（９）収容容器５０が処理物１４で満たされたら、空の収容容器５０と入れ替えれば、紙類細断装置６を停止させることなく連続して細断作業を行うことができる。
【００２８】
（その他の実施形態）
本発明の紙類細断自動車においては、図１、図２の破線部に示すような囲い６０を備えることもできる。囲い６０は、図１に示すように後面６０ａと両側面６０ｂ、６０ｃの三面で形成され、自動車５後部の開口部３の後部及び両側部を覆い、紙類細断装置６の投入口１１及び排出口１６、収容容器５０を風などから守ることができる高さ及び幅に形成されている。囲い６０は、不透明の板材やシート材製とし、後面６０ａの一部に依頼者が外側から作業の様子を観察できる覗き窓（図示しない）を形成したものとすることが、依頼者の安心、機密漏洩防止の点などから望ましい。また囲い６０は、図２に示すように、紙類細断装置６を収容した収容空間２の内壁と紙類細断装置６の間に、後面６０ａが上部に来るように横向きにして差し入れ、収容空間２内に収容することができるようにしてある。もっとも、後面６０ａと両側面６０ｂ、６０ｃの三面を折りたたんで収容できるようにすることもできる。紙類細断装置６の使用時には収容空間２から引き出して、車外で図１に示すように後面６０ａと両側面６０ｂ、６０ｃを立てて設置して紙類細断装置６の投入口１１及び排出口１６、収容容器５０の周囲を覆い、作業者が囲い６０内で作業を行えるようにする。また、囲い６０内には作業者のみならず、依頼者も入ることができる。囲い６０は、収容空間２内に収容できるものには限られず、自動車５と別体とすることもできる。
【００２９】
紙類細断装置６の前後スライドは、前記実施形態１記載のレール２１と走行台車２０の走行ロール２２によるものには限られず、レール２１を伸縮式とし、そのレール２１に紙類細断装置６を固定して、レール２１を伸縮させて装置全体を前後スライドさせるようにすることもできる。
【００３０】
紙類細断装置６は、前記実施形態１記載のように前方へスライドさせた際に投入口１１及び排出口１６を車外に突出させて備えているが、投入口１１及び排出口１６は、車外に突出させずに、収容空間２の開口部３に臨設させることもできる。
【産業上の利用可能性】
【００３１】
本発明の紙類細断自動車は、紙類の細断に限らず、ＣＤ−ＲＯＭ、ＤＶＤ−ＲＯＭ、ＭＯ等の、樹脂製の情報記録媒体の細断に応用することもできる。
【図面の簡単な説明】
【００３２】
【図１】本発明の紙類細断自動車の実施形態の一例を示す斜視図。
【図２】図１に示す紙類細断自動車において紙類細断装置を収容した様子を示す側面説明図。
【図３】紙類細断装置の断面説明図。
【図４】紙類細断装置を作動させて紙類を細断する様子を示す断面説明図。
【図５】紙類細断装置の細断刃物及びダクトを示す分解斜視説明図。
【図６】紙類細断装置不作動時のケース及びダクトの様子を示す斜視説明図。
【図７】紙類細断装置作動時のケース及びダクトの様子を示す斜視説明図。
【図８】紙類細断装置の排出口から紙類を細断した処理物が排出される様子を示す斜視説明図。
【符号の説明】
【００３３】
１  運転席
２  収容空間
３  開口部
４  扉
５  自動車
６  紙類細断装置
７  駆動源
１０  紙類
１１  投入口
１２  紙類搬送体
１３  細断刃
１４  処理物
１５  処理物搬送体
１６  排出口
１７  ケース
１８  ダクト
３８  処理物落下口
【図１】
0004756177.tif 000002
【図２】
0004756177.tif 000003
【図３】
0004756177.tif 000004
【図４】
0004756177.tif 000005
【図５】
0004756177.tif 000006
【図６】
0004756177.tif 000007
【図７】
0004756177.tif 000008
【図８】
0004756177.tif 000009